(57)【要約】【解決手段】ベース材料容器５と色材料容器６と保存容器７とスプーン８と溶液容器９とを混合容器３にまとめてコンパクトした化粧キット１を持ち歩いて、ベース材料容器５及び色材料容器６からスプーン８により取り出したベース材及び色材を混合容器３で溶液容器９の溶液とともに混合するだけで、利用者の好みに応じた化粧品、例えばチークまたはフィニッシュパウダーまたはアイブロウまたはアイシャドウまたはファンデーションまたはハイライトを色調整などを行いながら生成することができる。【効果】利用者の好みに応じた化粧品を場所的制限なく容易に生成することができる。【選択図】図１
2011125624.tif 000002
【特許請求の範囲】
【請求項１】
化粧品の生成材料となるベース材を収容するベース材料容器と、化粧品の生成材料となる色材を収容する色材料容器と、このベース材及び色材を入れて混合する混合容器と、混合した化粧品を保存する保存容器とを備えたことを特徴とする化粧キット。
【請求項２】
前記化粧品はチークまたはフィニッシュパウダーまたはアイブロウまたはアイシャドウまたはファンデーションまたはハイライトであることを特徴とする請求項１に記載の化粧キット。
【請求項３】
前記ベース材料容器と色材料容器と保存容器とは混合容器に収容して保管することができることを特徴とする請求項１または請求項２に記載の化粧キット。
【請求項４】
前記ベース材料容器からベース材を必要量取り出すことができるとともに、前記色材料容器から色材を必要量取り出すことができ、取り出したベース材及び色材を前記混合容器で混合することができるスプーンを備え、そのスプーンもこの混合容器内に収容して保管することができることを特徴とする請求項３に記載の化粧キット。
【請求項５】
前記ベース材料容器から取り出したベース材と前記色材料容器から取り出した色材とを溶かして混合する溶液を収容する溶液容器を備え、その溶液容器も前記混合容器内に収容して保管することができることを特徴とする請求項３または請求項４に記載の化粧キット。
【請求項６】
前記ベース材は少なくともセリサイトを含むことを特徴とする請求項１から請求項５のうちいずれか一つの請求項に記載の化粧キット。
【発明の詳細な説明】
【技術分野】
【０００１】
本発明は、例えばチークやフィニッシュパウダーやアイブロウやアイシャドウやファンデーションやハイライトなどの化粧品を生成する場合に利用する化粧キットに関するものである。
【背景技術】
【０００２】
従来、各種目的で複数種類の材料などをセットとして箱詰めした化粧キットが開示されている（例えば下記特許文献１を参照）。
【先行技術文献】
【特許文献】
【０００３】
【特許文献１】特開２００８−２１２７０２号公報
【発明の概要】
【発明が解決しようとする課題】
【０００４】
しかし、複数種類の材料などをセットしただけの化粧キットでは、利用者の好みに応じて化粧品を生成することができないし、化粧品を生成する際に場所的制限も生じ易い。
この発明は、利用者の好みに応じて化粧品を場所的制限なく容易に生成することができる化粧キットを提供することを目的としている。
【課題を解決するための手段】
【０００５】
後記実施形態の図面（図１に示す第１実施形態、図２に示す第２実施形態、図３に示す第３実施形態、図４に示す第４実施形態、図５に示す第５実施形態、図６に示す第６実施形態）の符号を援用して本発明を説明する。
【０００６】
請求項１の発明にかかる化粧キット１は、化粧品の生成材料となるベース材を収容するベース材料容器５と、化粧品の生成材料となる色材を収容する色材料容器６と、このベース材及び色材を入れて混合する混合容器３と、混合した化粧品を保存する保存容器７とを備えている。請求項１の発明では、化粧キット１を持ち歩いて、利用者の好みに応じた化粧品を場所的制限なく容易に生成することができる。その際、一つの色材料容器６に一種類の色材（一つの原料、または、二以上の原料の混合物）を収容して互いに色の異なる複数の色材料容器６を備えたり、一つの色材料容器６に複数種類の色材を互いに別々にまとめたりして、化粧品の生成材料となる複数種類の色材を収容する色材料容器６を備えることにより、混合容器３で化粧品のベース材及び色材を混合するだけで、利用者の好みに応じた化粧品の色調整などを容易に行うことができる。
【０００７】
請求項１の発明を前提とする請求項２の発明において、前記化粧品はチークまたはフィニッシュパウダーまたはアイブロウまたはアイシャドウまたはファンデーションまたはハイライトである。請求項２の発明では、これらの化粧品について請求項１の発明の効果を発揮させることができる。
【０００８】
請求項１または請求項２の発明を前提とする請求項３の発明において、前記ベース材料容器５と色材料容器６と保存容器７とは混合容器３に収容して保管することができる。請求項３の発明では、ベース材料容器５と色材料容器６と保存容器７とを混合容器３にまとめて化粧キット１をコンパクトにすることができる。
【０００９】
請求項３の発明を前提とする請求項４の発明においては、前記ベース材料容器５からベース材を必要量取り出すことができるとともに、前記色材料容器６から色材を必要量取り出すことができ、取り出したベース材及び色材を前記混合容器３で混合することができるスプーン８を備え、そのスプーン８もこの混合容器３内に収容して保管することができる。請求項４の発明では、ベース材料容器５からのベース材の取り出しや、色材料容器６からの色材の取り出しや、混合容器３におけるベース材及び色材の混合を、それぞれスプーン８を利用して容易に行うことができる。また、スプーン８もベース材料容器５や色材料容器６や保存容器７とともに混合容器３にまとめて化粧キット１をコンパクトにすることができる。
【００１０】
請求項３または請求項４の発明を前提とする請求項５の発明においては、前記ベース材料容器５から取り出したベース材と前記色材料容器６から取り出した色材とを溶かして混合する溶液を収容する溶液容器９を備え、その溶液容器９も前記混合容器３内に収容して保管することができる。請求項５の発明では、溶液容器９の溶液を利用して混合容器３におけるベース材及び色材の混合を容易に行うことができる。また、溶液容器９もベース材料容器５や色材料容器６や保存容器７とともに混合容器３にまとめて化粧キット１をコンパクトにすることができる。
【００１１】
請求項１から請求項５のうちいずれか一つの請求項の発明を前提とする請求項６の発明において、前記ベース材は少なくともセリサイトを含む。請求項６の発明では、セリサイトにより優れたベース材を生成することができる。
【発明の効果】
【００１２】
本発明は、利用者の好みに応じた化粧品を場所的制限なく容易に生成することができる化粧キット１を提供することができる。
【図面の簡単な説明】
【００１３】
【図１】（ａ）は第１実施形態にかかるチーク用化粧キットを示す斜視図であり、（ｂ）はそのチーク用化粧キットの収容物を示す斜視図であり、（ｃ）はその収容物において混合容器に収容するセット物を示す斜視図である。
【図２】（ａ）は第２実施形態にかかるフィニッシュパウダー用化粧キットを示す斜視図であり、（ｂ）はそのフィニッシュパウダー用化粧キットの収容物を示す斜視図であり、（ｃ）はその収容物において混合容器に収容するセット物を示す斜視図である。
【図３】（ａ）は第３実施形態にかかるアイブロウ用化粧キットを示す斜視図であり、（ｂ）はそのアイブロウ用化粧キットの収容物を示す斜視図であり、（ｃ）はその収容物において混合容器に収容するセット物を示す斜視図である。
【図４】（ａ）は第４実施形態にかかるアイシャドウ用化粧キットを示す斜視図であり、（ｂ）はそのアイシャドウ用化粧キットの収容物を示す斜視図であり、（ｃ）はその収容物において混合容器に収容するセット物を示す斜視図である。
【図５】（ａ）は第５実施形態にかかるファンデーション用化粧キットを示す斜視図であり、（ｂ）はそのファンデーション用化粧キットの収容物を示す斜視図であり、（ｃ）はその収容物において混合容器に収容するセット物を示す斜視図である。
【図６】（ａ）は第６実施形態にかかるハイライト用化粧キットを示す斜視図であり、（ｂ）はそのハイライト用化粧キットの収容物を示す斜視図であり、（ｃ）はその収容物において混合容器に収容するセット物を示す斜視図である。
【発明を実施するための形態】
【００１４】
図１（ａ）に示す第１実施形態のチーク用化粧キット１や、図２（ａ）に示す第２実施形態のフィニッシュパウダー用化粧キット１や、図３（ａ）に示す第３実施形態のアイブロウ用化粧キット１や、図４（ａ）に示す第４実施形態のアイシャドウ用化粧キット１や、図５（ａ）に示す第５実施形態のファンデーション用化粧キット１や、図６（ａ）に示す第６実施形態のハイライト用化粧キット１においては、いずれも、樹脂製の外ケース２内に樹脂製の混合容器３が収容され、図１（ｂ）や図２（ｂ）や図３（ｂ）や図４（ｂ）や図５（ｂ）や図６（ｂ）に示すようにその混合容器３内には図１（ｃ）や図２（ｃ）や図３（ｃ）や図４（ｃ）や図５（ｃ）や図６（ｃ）に示すセット物４が収容されて保管されている。なお、外ケース２内には図示しない使用説明書も収容されている。
【００１５】
図１（ｃ）に示すセット物４は、ベース材を収容する一つの樹脂製材料容器５と、色材を収容する二つの樹脂製材料容器６と、チークである化粧品を保存する一つの樹脂製保存容器７（コンパクトケース）と、大さじ部及び小さじ部を有する一つの樹脂製スプーン８と、二つの樹脂製溶液容器９とを備えている。前記ベース材の成分は、５ｇのセリサイトと、０．１ｇの無水ケイ酸と、１ｇのホワイトカオリンと、１ｇの珊瑚パウダーとからなる。前記色材は、ピンク系である３ｇのＦ−サクラマット、または、オレンジ系である３ｇのＦ−アプリコットマットからなる。前記溶液容器９には、１２滴の分留ココナッツオイル、または、５ｍｌの無水エタノールが収容されている。
【００１６】
チークを生成する際は例えば下記の手順（イ）〜（ト）で行う。
（イ）  材料容器５からスプーン８により取り出したベース材を混合容器３内に入れて良くすり潰す。
【００１７】
（ロ）  材料容器６からスプーン８により取り出した任意の色材を混合容器３内に少しずつ加えてベース材に混ぜ、生成した粉状のチークを色材の粒が見えなくなるまで良くすり潰す。
【００１８】
（ハ）  粉状のチークの色を色材により微調整する。
（ニ）  分留ココナッツオイルと無水エタノールとを予め混ぜておく。
（ホ）  予め混ぜた分留ココナッツオイル及び無水エタノールを粉状のチークに入れて良く混ぜる。
【００１９】
（へ）  保存容器７（コンパクトケース）の金皿にチークを山盛りに載せてそれにティッシュを被せ、そのティッシュを親指の腹で強く均一に押してチークを固める。
（ト）  金皿の裏に両面テープを貼ってそれを保存容器７に入れる。
【００２０】
図２（ｃ）に示すセット物４は、ベース材を収容する一つの樹脂製材料容器５と、色材を収容する五つの樹脂製材料容器６と、フィニッシュパウダーである化粧品を保存する一つの樹脂製保存容器７（パウダーケース）と、大さじ部及び小さじ部を有する一つの樹脂製スプーン８とを備えている。前記ベース材の成分は、５ｇのセリサイトと、２．５ｇのタルクと、０．１ｇの無水ケイ酸と、０．５ｇの珊瑚パウダーと、２ｇの酸化チタンとからなる。前記色材は、０．１ｇ弱のベンガラ、または、０．１ｇ弱の黄酸化鉄、または、０．１ｇ強の酸化鉄ライトブラウン、または、０．５ｇのマイカシャインベーシュ、または、０．１ｇのマイカダイヤモンドパールからなる。
【００２１】
フィニッシュパウダーを生成する際は例えば下記の手順（イ）〜（ニ）で行う。
（イ）  材料容器５からスプーン８により取り出したベース材を混合容器３内に入れて良くすり潰す。
【００２２】
（ロ）  材料容器６からスプーン８により取り出した色材（ベンガラまたは黄酸化鉄または酸化鉄ライトブラウン）を混合容器３内に少しずつ加えてベース材に混ぜ、さらに、好みに応じて材料容器６からスプーン８により取り出した色材（マイカシャインベーシュまたはマイカダイヤモンドパール）を混合容器３内に少しずつ加えてベース材に混ぜ、生成したフィニッシュパウダーを色材の粒が見えなくなるまで良くすり潰す。
【００２３】
（ハ）  フィニッシュパウダーの色を色材により微調整する。
（ニ）  フィニッシュパウダーを保存容器７（パウダーケース）に入れる。
図３（ｂ）に示すセット物４は、ベース材を収容する一つの樹脂製材料容器５と、色材を収容する三つの樹脂製材料容器６と、アイブロウである化粧品を保存する一つの樹脂製保存容器７（コンパクトケース）と、大さじ部及び小さじ部を有する一つの樹脂製スプーン８と、四つの樹脂製溶液容器９とを備えている。前記ベース材の成分は、３ｇのセリサイトと、０．５ｇのホワイトカオリンと、０．４ｇの酸化チタンとからなる。前記色材は、ブラウン系である１ｇの茶酸化鉄、または、１ｇの茶酸化鉄と０．５ｇの黒酸化鉄を含むダークブラウン系の成分、または、グレー系である０．８ｇの黒酸化鉄からなる。前記溶液容器９には、５滴の１、２−ヘキサンジオール、または、３滴の１、３−ブチレングリコール、または、７滴のホホバオイル、または、３〜５ｍｌの無水エタノールが収容されている。
【００２４】
アイブロウを生成する際には例えば下記の手順（イ）〜（ト）で行う。
（イ）  材料容器５からスプーン８により取り出したベース材を混合容器３内に入れて良くすり潰す。
【００２５】
（ロ）  材料容器６からスプーン８により取り出した任意の色材を混合容器３内に少しずつ加えてベース材に混ぜ、生成した粉状のアイブロウを色材の粒が見えなくなるまで良くすり潰す。
【００２６】
（ハ）  粉状のアイブロウの色を色材により微調整する。
（ニ）  １、２−ヘキサンジオールと１、３−ブチレングリコールとホホバオイルと無水エタノールを予め混ぜておく。
【００２７】
（ホ）  予め混ぜたものを粉状のアイブロウに入れて良く混ぜる。
（へ）  保存容器７（コンパクトケース）の金皿にアイブロウを山盛りに載せてそれにティッシュを被せ、そのティッシュを親指の腹で強く均一に押してアイブロウを固める。
【００２８】
（ト）  金皿の裏に両面テープを貼ってそれを保存容器７に入れる。
図４（ｂ）に示すセット物４は、ベース材を収容する一つの樹脂製材料容器５と、色材を収容する六つの樹脂製材料容器６と、アイシャドウである化粧品を保存する一つの樹脂製保存容器７（コンパクトケース）と、大さじ部及び小さじ部を有する一つの樹脂製スプーン８と、二つの樹脂製溶液容器９とを備えている。前記ベース材の成分は、３ｇのセリサイトと、１ｇの珊瑚パウダーと、０．４ｇの酸化チタンとからなる。前記色材は、ベージュ系である０．１ｇの茶酸化鉄、または、ライトブルー系である０．２ｇのＦＤＡブルー、または、ライトピンク系である０．２ｇのＦＤＡレッド、または、ライトグリーン系である０．１ｇ弱の水酸化クロム（シーグリーン）、または、ライトマリンブルー系である０．１ｇ弱のウルトラマリン青、または、ホワイトピーチ系である０．２ｇのＦＤＡコーラルからなる。前記溶液容器９には、７滴のホホバオイル、または、３〜５ｍｌの無水エタノールが収容されている。
【００２９】
アイシャドウを生成する際は例えば下記の手順（イ）〜（ト）で行う。
（イ）  材料容器５からスプーン８により取り出したベース材を混合容器３内に入れて良くすり潰す。
【００３０】
（ロ）  材料容器６からスプーン８により取り出した任意の色材を混合容器３内に少しずつ加えてベース材に混ぜ、生成した粉状のアイシャドウを色材の粒が見えなくなるまで良くすり潰す。
【００３１】
（ハ）  粉状のアイシャドウの色を色材により微調整する。
（ニ）  ホホバオイルと無水エタノールを予め混ぜておく。
（ホ）  予め混ぜたものを粉状のアイシャドウに入れて良く混ぜる。
【００３２】
（へ）  保存容器７（コンパクトケース）の金皿にアイシャドウを山盛りに載せてそれにティッシュを被せ、そのティッシュを親指の腹で強く均一に押してアイシャドウを固める。
【００３３】
（ト）  金皿の裏に両面テープを貼ってそれを保存容器７に入れる。
図５（ｂ）に示すセット物４は、ベース材を収容する一つの樹脂製材料容器５と、色材を収容する三つの樹脂製材料容器６と、ファンデーションである化粧品を保存する一つの樹脂製保存容器７（コンパクトケース）と、大さじ部及び小さじ部を有する一つの樹脂製スプーン８と、一つの樹脂製溶液容器９を備えている。前記ベース材は、１５ｇのセリサイトと、３．３ｇのタルクと、３ｇの酸化チタンと、０．５ｇのシルクパウダーと、０．５ｇのパールパウダーとからなる。前記色材は、１．３ｇのベンガラと１．２ｇの黄酸化鉄を含むピンク系の成分、または、１．３ｇのベンガラと５ｇと黄酸化鉄を含むナチュラル系の成分、または、１．３ｇのベンガラと５ｇの黄酸化鉄と０．５ｇの黒酸化鉄を含むオークル系の成分からなる。前記溶液容器９には１ｇのホホバオイルが収容されている。
【００３４】
ファンデーションを生成する際は例えば下記の手順（イ）〜（ヘ）で行う。
（イ）  材料容器５からスプーン８により取り出したベース材を混合容器３内に入れて良くすり潰す。
【００３５】
（ロ）  材料容器６からスプーン８により取り出した任意の色材を混合容器３内に少しずつ加えてベース材に混ぜ、生成した粉状のファンデーションを色材の粒が見えなくなるまで良くすり潰す。
【００３６】
（ハ）  粉状のファンデーションの色を色材により微調整する。
（ニ）  ホホバオイルを粉状のファンデーションに入れて良く混ぜる。
（ホ）  保存容器７（コンパクトケース）の金皿にファンデーションを山盛りに載せてそれにティッシュを被せ、そのティッシュを親指の腹で強く均一に押してファンデーションを固める。
【００３７】
（ヘ）  金皿の裏に両面テープを貼ってそれを保存容器７に入れる。
図６（ｂ）に示すセット物４は、ベース材を収容する一つの樹脂製材料容器５と、色材を収容する三つの樹脂製材料容器６と、ハイライトである化粧品を保存する一つの樹脂製保存容器７（コンパクトケース）と、大さじ部及び小さじ部を有する一つの樹脂製スプーン８と、一つの樹脂製溶液容器９とを備えている。前記ベース材の成分は、６ｇのセリサイトと、１ｇのシルクパウダーと、１ｇの酸化チタンとからなる。前記色材は、ホワイト系である１ｇのホワイトパール、または、１ｇのホワイトパールと０．５ｇのカラーマイカレッドを含むホワイトピンク系の成分、または、１ｇのホワイトパールと０．５ｇのカラーマイカオレンジを含むホワイトベージュ系の成分からなる。前記溶液容器９には１ｇのホホバオイルが収容されている。
【００３８】
ハイライトを生成する際は例えば下記の手順（イ）〜（ヘ）で行う。
（イ）  材料容器５からスプーン８により取り出したベース材を混合容器３内に入れて良くすり潰す。
【００３９】
（ロ）  材料容器６からスプーン８により取り出した任意の色材を混合容器３内に少しずつ加えてベース材に混ぜ、生成した粉状のハイライトを色材の粒が見えなくなるまで良くすり潰す。
【００４０】
（ハ）  粉状のハイライトの色を色材により微調整する。
（ニ）  ホホバオイルを粉状のハイライトに入れて良く混ぜる。
（ホ）  保存容器７（コンパクトケース）の金皿にハイライトを山盛りに載せてそれにティッシュを被せ、そのティッシュを親指の腹で強く均一に押してハイライトを固める。
【００４１】
（ヘ）  金皿の裏に両面テープを貼ってそれを保存容器７に入れる。
本実施形態は下記の効果を有する。
（１）  化粧キット１を持ち歩いて、利用者の好みに応じた化粧品、例えばチークまたはフィニッシュパウダーまたはアイブロウまたはアイシャドウまたはファンデーションまたはハイライトを場所的制限なく容易に生成することができる。
【００４２】
（２）  ベース材料容器５及び色材料容器６からスプーン８により取り出したベース材及び色材を混合容器３で溶液容器９の溶液とともに混合するだけで、利用者の好みに応じた化粧品の色調整などを容易に行うことができる。
【００４３】
（３）  ベース材と色材とにより生成した化粧品を保存した保存容器７を持ち歩いて、予め調整した化粧品を場所的制限なく容易に利用することができる。
（４）  ベース材料容器５と色材料容器６と保存容器７とスプーン８と溶液容器９とを混合容器３にまとめて化粧キット１をコンパクトにすることができる。
【００４４】
前記実施形態以外にも例えば下記のように構成してもよい。
・  一つの色材料容器６に一種類の色材（一つの原料、または、二以上の原料の混合物）を収容して互いに色の異なる複数の色材料容器６を備えて、化粧品の生成材料となる複数種類の色材を準備したが、一つの色材料容器６に複数種類の色材を互いに別々にまとめて、化粧品の生成材料となる複数種類の色材を準備してもよい。また、一種類の色材を準備するだけでもよい。
【００４５】
・  化粧キット１からスプーン８を省略してもよい。
【符号の説明】
【００４６】
１…化粧キット、３…混合容器、５…ベース材料容器、６…色材料容器、７…保存容器、８…スプーン、９…溶液容器。
【図１】
2011125624.tif 000003
【図２】
2011125624.tif 000004
【図３】
2011125624.tif 000005
【図４】
2011125624.tif 000006
【図５】
2011125624.tif 000007
【図６】
2011125624.tif 000008